(57)【要約】【課題】椅子のリクライニング装置のヒンジ機構は複雑で部品点数も多い、これを成型加工もしくはインサート成型可能な構造にして、部品点数を少なくして、更に椅子の背面を平坦に折畳める様にすることが課題である。【解決手段】筒体を有する一方の部材と、軸体を有する他方の部材を、前後傾動可能に連結して、前記一方の部材の筒体には筒体側壁と繋がった弾性性状を有する切割り片を設け、更に切割り片の孔壁に凸を設けて、孔壁の凸に係合する形状の凹部を、他方の部材が有する軸体の軸外周部に複数個設け、前記切割り片の孔壁の凸と軸外周部の凹部を係合し、更に前記一方の部材の筒体に前後傾動不能にロック出来る機構と、通常使用時の傾動力より１．５倍の力を掛けて更に傾倒させて、椅子の背面を平坦に折畳む角度を設定出来る機構を設けた、椅子のリクライニング装置のヒンジ機構にして解決した。【選択図】図１
2010124830.tif 000002
【特許請求の範囲】
【請求項１】
筒体を有する一方の部材と、軸体を有する他方の部材を、多段階に節度を有して前後傾動可能に連結された、椅子のリクライニング装置のヒンジ機構であって、前記一方の部材の筒体には筒体側壁と繋がった弾性性状を有する切割り片を設け、更に切割り片の孔壁に凸を設けて、孔壁の凸に係合する形状の凹部を、他方の部材が有する軸体の軸外周部に複数個設け、前記切割り片の孔壁の凸と軸外周部の凹部を係合し、更に前記一方の部材の筒体にロック機構の外筒を設けて、前後傾動可能で、前後傾動不能にロック出来る、椅子のリクライニング装置のヒンジ機構。
【請求項２】
請求項１に記載の切割り片の孔壁の凸に係合する軸体凹部の底部を底径として、概略半分大径方向に大径にした山部を外径とした小径の凹・小径の凸を、椅子のリクライニング通常使用範囲として設定する、前傾倒端から後傾倒端間に設け、前傾倒端から後傾倒端間以外を軸体外径として、傾動範囲を設定した、請求項１に記載の椅子のリクライニング装置のヒンジ機構。
【請求項３】
請求項２に記載の前傾倒端に当たる位置の軸体に突部を、軸体外径よりマイナス径にして設け、続けて前傾倒方向に前記請求項２に記載の小径の凹の底径を軸外径として、椅子の背面を平坦に折畳む折畳み端迄設け、続けて軸体外径に戻して、椅子の背面を平坦に折畳む角度を設定出来る機構にした、請求項１及び請求項２に記載の椅子のリクライニング装置のヒンジ機構。
【発明の詳細な説明】
【技術分野】
【０００１】
本発明は椅子のリクライニング装置のヒンジ機構に関する物である、
【背景技術】
【０００２】
本願発明は、特許文献1の、傘の支柱の旋回及びロック機構を、椅子のリクライニング装置に使用し展開したものであって、そのヒンジ機構（特許文献1の）は、筒体側壁と一部が繋がった弾性性状（弾性部）を有する切割り片を設け、更に切割り片の孔壁に凸を設けて、前記孔壁の凸に係合する形状の凹部を軸外周部の軸線方向に複数個設け、孔壁の凸と軸外周部の凹部を係合して多段階に回動し、併せて着脱も自在に出来、更にロック機構の外筒の軸線方向のスライドによりロック．アンロック出来る物である。
【０００３】
コンパクト容器のヒンジに関するもので軸には多数のローレット溝を設け、前記ローレット溝に係合する溝条を多数持つ筒体に、ローレット溝を持つ前記軸を嵌入し得る割溝から嵌入した物であるが、この機構では筒体と軸との作動状態の中で常に軸を押し出そうとする弾性復帰力が働いているが、この軸を押し出そうとする弾性復帰力を規制する機構が無い（例えば特許文献２）。
これに対して本願発明は筒体と軸との作動状態の中では、常に筒体側壁と一部が繋がった弾性性状を有する切割り片の孔壁の凸（ＺＡ）が、弾性復帰力で軸を押さえる規制機構が作用している点に大きな差異がある。
【０００４】
ばね性の板金を左右２方向に巻いた筒体外壁に１箇所窪み部（板金なので孔壁の凸）を設け、軸に窪み部に係合する孔部を設けて前記筒体に嵌入させたヒンジであるが、機構は軸受けに割れ目（ばね性を利用），軸に孔、軸受けに凸部，ヒンジ機構の間欠停止，前記間欠停止（フリーストップ）は筒体と軸との摩擦力（摩擦力を得るためには軸の圧入で筒体を拡径，グリス塗布が必要）の構成要件を備えているが、製造時の工程数も多くその分コストも高くなる（例えば特許文献３）。
これに対して本願発明は、弾性復帰力による多段階に節度を有して停止，凹部を設けた軸，凹部を軸外壁に複数個設けた，の所が相違し、前記「多段階に節度を有して」と記述している「節度」とは、作動状態の中の動きに節を持ちカチ、カチ、カチ、と僅かな振動を伴っていることを表現したものである。
【０００５】
【特許文献１】特願２００８−０３０４７７
【特許文献２】実昭５９−６７１０４
【特許文献３】特開平０６−１５９３４７
【発明の開示】
【発明が解決しようとする課題】
【０００６】
椅子のリクライニング装置のヒンジ機構は(1例、図7の様に)複雑で部品点数も多い、これを成型加工もしくはインサート成型可能な構造にして、部品点数を少なくして、更に椅子の背面を平坦に折畳める様にすることが課題である。
【課題を解決するための手段】
【０００７】
第一の発明は筒体を有する一方の部材と、軸体を有する他方の部材を、多段階に節度を有して前後傾動可能に連結された、椅子のリクライニング装置のヒンジ機構であって、前記一方の部材の筒体には筒体側壁と繋がった弾性性状を有する切割り片を設け、更に切割り片の孔壁に凸を設けて、孔壁の凸に係合する形状の凹部を、他方の部材が有する軸体の軸外周部に複数個設け、前記切割り片の孔壁の凸と軸外周部の凹部を係合し、更に前記一方の部材の筒体にロック機構の外筒を設けて、前後傾動可能で、前後傾動不能にロック出来る、椅子のリクライニング装置のヒンジ機構を提供する。
第二の発明は第一の発明に記載の切割り片の孔壁の凸に係合する軸体凹部の底部を底径として、概略半分大径方向に大径にした山部を外径とした小径の凹・小径の凸を、椅子のリクライニング通常使用範囲として設定する、前傾倒端から後傾倒端間に設け、前傾倒端から後傾倒端間以外を軸体外径として、傾動範囲を設定した、第一の発明に記載の椅子のリクライニング装置のヒンジ機構を提供する。
第三の発明は第二の発明に記載の前傾倒端に当たる位置の軸体に突部を、軸体外径よりマイナス径にして設け、続けて前傾倒方向に前記第二の発明に記載の小径の凹の底径を軸外径として、椅子の背面を平坦に折畳む折畳み端迄設け、続けて軸体外径に戻して、椅子の背面を平坦に折畳む角度を設定出来る機構にした、第一の発明及び第二の発明に記載の椅子のリクライニング装置のヒンジ機構を提供する。
【０００８】
第一の発明によれば、一方の部材の筒体には筒体側壁と繋がった弾性性状を有する切割り片を設けと成っているが、切割り片の形状は限定されない、切割り片の孔壁の凸が軸外周部の凹部から隣の凹部へ移動する弾性力を持たせられる形状で有ればよく、例えば「コ」の字でも「Ｌ」字でも「舌状」等でも良い
【０００９】
第一の発明によれば、弾性性状を有する切割り片と成っているが、前後傾倒動角度を変位保持する弾性力を有した物であれば、例えば切割り片が弾性体でも、筒体に弾性体の切割り片をインサート成型したものでも（筒体が弾性体も含む）、又切割り片に弾性部を設けた物でもよく、弾性性状を有する切割り片には限定しない。
【００１０】
第一の発明によれば切割り片の孔壁の凸を設けと成っているが、その形状は点状の凸でも軸線方向に設けた凸でも良く、前記凸に係合する軸外周部に設けた凹部の形状は、多段階前後傾動機構が維持出来る形状で、好ましくは角度変位がスムースに出来、ロック状態で孔壁の凸と、前記凸に係合する軸外周部に設けた凹部との係合状態で「がた」がない形状である.。
【００１１】
第一の発明によれば前記一方の部材の筒体にロック機構の外筒を設けてと成っているが、前後傾動不能にする物は、棒体でも外筒でも可能で又外筒形状もCでもOでも前記切割り片の筒芯方向の外向きの動きを阻止する物であれば良い。
【００１２】
第二の発明は第一の発明に記載の切割り片の孔壁の凸の概略先半分部に係合する軸体凹部を設け、となっているが、前後傾動で力を掛けた時に後傾動では脚をフロアーにつけ、少し力を入れれば後傾動し、前傾動はロックをはずせば前傾端部に戻り（背もたれ部はフリーな状態ではスプリング力で、前傾端部に戻る様に付勢している）、切割り片の孔壁の凸に軸外周部に設けた凹部を係合させた、傾動一方向の傾動力より孔壁の凸の概略先半分部に係合する小径の凹に係合させた、傾動一方向の傾動力を概略半分程度にするための表現であって、傾動範囲を外れて作動し難いようにした物であれば良く、概略先半分という形状にはこだわらない。    
【００１３】
この発明は特許文献1の機構を、傾動作動時のみ外筒をアンロック位置に移動し、作動時以外は外筒をロック位置にスプリング力で付勢して保持する事で、傾動作動時のみアンロックし作動時以外はロック状態にした構造のヒンジ機構である
【発明の効果】
【００１４】
軸部材と筒体部材をプラスチック系材(PPS樹脂・PEEK樹脂・ＦＲＰ・炭素繊維・ガラス繊維を含む）で構成する事が出来、それぞれの部材が一体成型加工可能で、部品点数も少なくて加工及び組み立て作業工程を少なくする事ができる。
【００１５】
強度及び耐久性が要求されるヒンジの、軸部は精密鋳造（ダイカスト鋳造も含む）・精密鍛造等でも対応出来（凹凸のある外径部は樹脂、内部は金属でインサート加工でも可能）、又筒体部の切割り片のみを強い弾性力を持つ部材をインサート成型できる等、幅広いニーズに対応できる。
【００１６】
自動車のリクライニングシートのヒンジをプラスチック系材で構成し、このヒンジ機構にすれば、僅かではあるが車重量の軽量化に寄与することができ燃費向上に繋がる。
【実施例】
【００１７】
当発明に使用のヒンジの多くは直径１０ｍｍから３０ｍｍ位であり、又その他の部分に於いても、図面は拡大して表示して詳細部が判り易くし、又実線と実線が近接していて、図の電子化送信の際実線と実線の間が黒く成るケースが多々有るので実線と実線の間を少し広くして表現するか又は１本の線であらわし、更に誇張表示した部分もあり、又図面間の寸法は縮尺及び拡大されている。
【００１８】
筒体（４）を有する一方の部材（２）と、軸体（６）を有する他方の部材（１）を、前後傾動可能に連結された、椅子のリクライニング装置のヒンジ機構であって、前記一方の部材（２）の筒体（４）には筒体側壁と一部分が繋がった弾性性状を有する切割り片（Ｅ）を設け、更に切割り片の孔壁に凸（ＺＡ）を設けて、孔壁の凸に係合する形状の凹部（Ａ）を、他方の部材（１）が有する軸体（６）の軸外周部に複数個設け、前記筒体孔壁の凸と軸外周部の凹部を係合し、更に前記一方の部材の筒体に前後傾動不能にロック出来る機構（前後傾動操作時のみアンロック)の外筒を設け、前後傾動可能で、更に前後傾動不能にロック出来る機構にした、椅子のリクライニング装置のヒンジ機構。
【００１９】
前記一方の部材（２）の筒体には筒体側壁と繋がった弾性性状を有する切割り片（Ｅ）を設け、前記切割り片の筒体孔壁に凸（ＺＡ）と筒体外壁に弾性部を軸線方向に設けるか、あるいは前記筒体を弾性材で構成して設け（図１・図2）、前記孔壁の凸に係合する形状の凹部（Ａ）を軸外周部の軸線方向に複数個設け（図３）、前記孔壁の凸と軸外周部の凹部を係合した機構で、前記筒体（４）と軸体（６）との結合部に外筒（５）を嵌合させて、弾性片（弾性部）の大径方向への動きを阻止し、変位した角度をロックするロック機構を設けたヒンジ機構。
【００２０】
図１ａは椅子のリクライニング装置のヒンジ部（Ｈ）を示した図で、図１bは筒体（４）を有する一方の部材（２）と、軸体（６）を有する他方の部材（１）と作動時以外はロック状態に付勢するスプリング（９）とスプリングを保持するバー（８）を有するロック機構のC型の外筒（５）のオンリー部品図で、筒体（４）には前記スプリングを保持するバー（８）を受け止める、受け止め部（７）を固着している。
【００２１】
図２ａは図１のオンリー部品を組み付けた斜視図で、C型の外筒（５）をスプリング（９）で付勢していて、ロック機構のC型の外筒（５）が筒体のきり割り片（E）を覆っているので、切割り片の筒体孔壁に凸（ＺＡ）が外方向に動けない状態―ロック状態で、図２bはスプリングを保持するバー（８）を矢印方向に動かす力が掛かり、C型の外筒（５）が筒体のきり割り片（E）を外方向に動ける様に右方向に逃がした状態で、この状態の時のみ前後傾動可能で椅子の背もたれ部（図１ａ・１−ｂ）を所望する角度に変更でき、スプリングを保持するバー（８）に矢印方向の力が掛からなく成ると、元の図２ａに戻りロック状態となる。
【００２２】
図３の図３cは、図２bのＢ−Ｂ断面図で、軸体（６）を有する他方の部材（１）に前後傾動力が掛かると前後傾動出来る状態で、他方の部材（１）に前後傾動力が掛かると一方の部材（２）の筒体（４）の筒体側壁と繋がった弾性性状を有する切割り片（Ｅ）の孔壁に凸（ＺＡ）が軸体（６）の凹部（Ａ）を乗り越し（図３ｃ）隣の凹部（Ａ）に納まり次に前後傾動力が掛かるまでその角度を保持でき、更に前後傾動力が掛かり続けると順次前後傾角度を広げ（前傾動力はスプリングの付勢力もしくは手動力）、スプリングを保持するバー（８）に矢印方向の力が掛からなく成ると、ロック機構のC型の外筒（５）が筒体のきり割り片（E）を覆いロック状態となる。（図２ａのＡ−Ａ断面図・図３a）
【００２３】
図４ａは図２bのＣ−Ｃ断面図で、外筒（５）が筒体（４）の外側に保持されていて前後傾動が可能な状態で外筒（５）が図４ａの矢印方向に動ごくと、仮想線のようにＺＡを覆い、ＺＡが上方向に動けなくなりロック状態となる。
図４ｂは図４ａの外筒（５）に５ｂ部｛外筒（５）と切割り片(Ｅ)の孔壁に凸(ＺＡ)に面取り部｝を設けて外筒（５）が切割り片(Ｅ)の孔壁に凸（ＺＡ）に納まり易くしたものである。
【００２４】
図５は筒体（４）を有する一方の部材（２）に固着された椅子の座部（２−ｂ）と軸体（６）を有する他方の部材（１）に固着された椅子の背もたれ部（１−ｂ）との前後傾動状態図で（Ｈはヒンジ）、矢印イの範囲が通常使用すると設定された範囲で（更に広角にも出来る）、矢印ロは通常使用範囲の前傾倒端から、更に前傾倒させ椅子の背面を平坦に折畳む角度を表し、実線の図は椅子の背面を平坦に折畳んだ図。
【００２５】
図６ａは第二の発明の発明に記載の小径の凹（Ａａ）・小径の凸（６ｂ）を設け、椅子のリクライニング装置使用時の前傾倒端から後傾倒端間以外を軸体外径として、傾動範囲を設定する構造を表した、図２ｂのＢ−Ｂ断面図で、その作動要領は軸体（６）を有する他方の部材（１）に後傾動力を掛けると後傾動出来る状態で、他方の部材（１）に後傾動力が掛かると、一方の部材（２）の筒体（４）の筒体側壁と繋がった弾性性状を有する切割り片（Ｅ）の孔壁に凸（ＺＡ）が軸体（６）の小径の凹（Ａａ）と小径の凹（Ａａ）間に形成された小径の凸（６ｂ）を乗り越し隣の小径の凹（Ａａ）に納まり、次に後傾動力が掛かるまでその角度を保持し、続いて後傾動力が掛かると順次傾倒角度が広がり、所望の角度に成った時図２ａの状態にロックさせて、更に図２bの状態にアンロックさせて、後傾端迄傾倒角度を変更できる機構で、元に戻す前傾倒の動作は、後傾倒の動作を前傾倒の動作に変えてするか、図２bのアンロック状態を保持すれば、前傾動はロックをはずし前傾端部に戻る（背もたれ部はスプリング力で、フリーな状態では前傾端部に戻る様に付勢している）、短絡して言い換えれば、通常の椅子のリクライニング装置使用時の前傾倒端から後傾倒端間で掛ける力を通常傾動範囲として設定し、更に少なくとも１．５倍の力を掛けないと通常傾動範囲から外せない構造にして、通常傾倒力で通常傾動範囲内を操作出来るヒンジの構造。
【００２６】
図６bは第二の発明に記載の前傾倒端に当たる位置の軸体の6よりマイナス径にした軸体の突部（６a）を設け、前傾倒方向に続けて、前記第二の発明に記載の小径の凹の底径（Ａc）にして設け、続けて前傾倒折畳み端に折畳み端の凹部（Ａb）を設け、続けて軸体外径に戻して、椅子の背面を平坦に折畳む角度を設定出来る機構にして、更にマイナス径の軸体の突部（６a）を超える力の、少なくとも１．５倍の力を掛けないと椅子の背面を平坦に折畳む角度（折畳み端の凹部・Ａb）を超える事が出来ない機構にした、第三の発明に記載の椅子のリクライニング装置のヒンジ機構で、その作動は前記孔壁に凸（ＺＡ）が軸体の6よりマイナス径の軸体の突部（６a）を、前傾倒方向に越え(図６b・図６c)続いて移動してＡc部を通過し椅子の背面を平坦に折畳む角度を設定する折畳み端の凹部Ａbに到達して嵌合し椅子の背面を平坦に折畳めるヒンジの構造。
【００２７】
図７は従来から使用されている椅子のリクライニング装置の側面図で、部品点数も多く
工作機械を駆使して部品を製作し、組み立てにもかなりの工数を必要としている。
（この図はあくまでも例図であって特定している物ではない。）
【図面の簡単な説明】
【００２８】
【図１】椅子のリクライニング装置の側面とヒンジのオンリー部品斜視図
【図２】図１の組み立て図と作動時の状態図
【図３】図２のＡ−Ａ断面図・Ｂ−Ｂ断面図
【図４】図２のＣ−Ｃ断面図
【図５】椅子の背面を平坦に折畳んだ図
【図６】第二の発明・第三の発明の  図２のＡ−Ａ断面図・Ｂ−Ｂ断面図
【図７】従来から使用されている椅子のリクライニング装置の側面図の１例
【符号の説明】
【００２９】
・  軸体（６）を有する他方の部材
・  筒体（４）を有する一方の部材
１−ｂ．椅子の背もたれ部
２−ｂ．椅子の座部
３−ｂ．椅子のリクライニング装置の操作部
４．  筒体
５．  ロック機構の外筒
５ｂ．ロック機構の外筒とＺＡに設けた面取り構造部
６．  軸体
６ａ．前傾倒端に当たる位置の軸体の6よりマイナス径の軸体の突部
６ｂ．孔壁の凸（ＺＡ）の概略先半分部に係合する小径の凸
７．スプリングを保持するバーを受け止める、受け止め部
８．スプリングを保持するバー
９．ロック状態に付勢するスプリング
Ａ．孔壁の凸に係合する形状の軸体の凹部
Ａａ．孔壁の凸（ＺＡ）の概略先半分部に係合する小径の凹
Ａｂ．前傾倒折畳み端の凹部
Ａｃ．孔壁の凸の概略先半分部に係合する小径の凹の底径部
Ｂ．切割り片（Ｅ）に設けた弾性部
Ｃ．切割り片（Ｅ）の軸線方向の割れ目
Ｅ．切割り片
Ｈ．ヒンジ部
ＺＡ．切割り片の孔壁の凸
イ．椅子の背もたれ部の通常使用範囲
ロ．椅子の背面を平坦に折畳む角度
【図１】
2010124830.tif 000003
【図２】
2010124830.tif 000004
【図３】
2010124830.tif 000005
【図４】
2010124830.tif 000006
【図５】
2010124830.tif 000007
【図６】
2010124830.tif 000008
【図７】
2010124830.tif 000009
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
筒体を有する一方の部材と、軸体を有する他方の部材を、多段階に節度を有して前後傾動可能に連結された、椅子のリクライニング装置のヒンジ機構であって、前記一方の部材の筒体には筒体側壁と繋がった弾性性状を有する切割り片を設け、更に切割り片の内壁に凸部を筒芯方向に設けて、内壁の凸部に係合する形状の凹部を、他方の部材が有する軸体の軸外周部に複数個設け、前記切割り片の内壁の凸部と軸外周部の凹部を係合し、更に前記一方の部材の筒体にロック機構の外筒を切割り片の内壁の凸部の外側方向への動きを阻止する様に設けて、外筒の軸線方向のスライドにより前後傾動をロック・アンロック出来る、椅子のリクライニング装置のヒンジ機構。
【請求項２】
請求項１に記載の切割り片の内壁の凸部に係合する軸体凹部の底部を底径として、軸体凹部と凹部との間に形成された凸部の概略半分にした山部を外径とした、小径の凸部を、前傾倒端から後傾倒端間に設け、傾動範囲を設定出来る機構にした、請求項１に記載の椅子のリクライニング装置のヒンジ機構。
【請求項３】
請求項２に記載の前傾倒端に当たる位置の軸体に突部を、軸体外径より１〜２割マイナス径にして設け、続けて前傾倒方向に請求項２に記載の軸体凹部の底部の底径を軸外径として、椅子の背面を平坦に折畳む折畳み端迄設け、続けて軸体外径にして、椅子の背面を平坦に折畳む角度を設定出来る機構にした、請求項２に記載の椅子のリクライニング装置のヒンジ機構。
【手続補正２】
【補正対象書類名】明細書
【補正対象項目名】全文
【補正方法】変更
【補正の内容】
【発明の詳細な説明】
【技術分野】
【０００１】
本発明は椅子のリクライニング装置のヒンジ機構に関する物である、
【背景技術】
【０００２】
本願発明は、特許文献1の、傘の支柱の旋回及びロック機構を、椅子のリクライニング装置に使用し展開したものであって、そのヒンジ機構（特許文献1の）は、筒体側壁と一部が繋がった弾性性状（弾性部）を有する切割り片を設け、更に切割り片の孔壁に凸を設けて、前記孔壁の凸に係合する形状の凹部を軸外周部の軸線方向に複数個設け、孔壁の凸と軸外周部の凹部を係合して多段階に回動し、併せて着脱も自在に出来、更にロック機構の外筒の軸線方向のスライドによりロック．アンロック出来る物である。
【０００３】
コンパクト容器のヒンジに関するもので軸には多数のローレット溝を設け、前記ローレット溝に係合する溝条を多数持つ筒体に、ローレット溝を持つ前記軸を嵌入し得る割溝から嵌入した物であるが、この機構では筒体と軸との作動状態の中で常に軸を押し出そうとする弾性復帰力が働いているが、この軸を押し出そうとする弾性復帰力を規制する機構が無い（例えば特許文献２）。
これに対して本願発明は筒体と軸との作動状態の中では、常に筒体側壁と一部が繋がった弾性性状を有する切割り片の内壁の凸部（ＺＡ）が、弾性復帰力で軸を押さえる規制機構が作用している点に大きな差異がある。
【０００４】
ばね性の板金を左右２方向に巻いた筒体外壁に１箇所窪み部（板金なので孔壁の凸）を設け、軸に窪み部に係合する孔部を設けて前記筒体に嵌入させたヒンジであるが、機構は軸受けに割れ目（ばね性を利用），軸に孔、軸受けに凸部，ヒンジ機構の間欠停止，前記間欠停止（フリーストップ）は筒体と軸との摩擦力（摩擦力を得るためには軸の圧入で筒体を拡径，グリス塗布が必要）の構成要件を備えているが、製造時の工程数も多くその分コストも高くなる（例えば特許文献３）。
これに対して本願発明は、弾性復帰力による多段階に節度を有して停止，凹部を設けた軸，凹部を軸外壁に複数個設けた，の所が相違し、前記「多段階に節度を有して」と記述している「節度」とは、作動状態の中の動きに節を持ちカチ、カチ、カチ、と僅かな振動を伴っていることを表現したものである。
【０００５】
【特許文献１】特願２００８−０３０４７７
【特許文献２】実昭５９−６７１０４
【特許文献３】特開平０６−１５９３４７
【発明の開示】
【発明が解決しようとする課題】
【０００６】
椅子のリクライニング装置のヒンジ機構は(1例、図7の様に)複雑で部品点数も多い、これを成型加工もしくはインサート成型可能な構造にして、部品点数を少なくして、更に椅子の背面を平坦に折畳める様にすることが課題である。
【課題を解決するための手段】
【０００７】
第一の発明は、筒体を有する一方の部材と、軸体を有する他方の部材を、多段階に節度を有して前後傾動可能に連結された、椅子のリクライニング装置のヒンジ機構であって、前記一方の部材の筒体には筒体側壁と繋がった弾性性状を有する切割り片を設け、更に切割り片の内壁に凸部を筒芯方向に設けて、内壁の凸部に係合する形状の凹部を、他方の部材が有する軸体の軸外周部に複数個設け、前記切割り片の内壁の凸部と軸外周部の凹部を係合し、更に前記一方の部材の筒体にロック機構の外筒を切割り片の内壁の凸部の外側方向への動きを阻止する様に設けて、外筒の軸線方向のスライドにより前後傾動をロック・アンロック出来る、椅子のリクライニング装置のヒンジ機構を提供する。
第二の発明は第一の発明に記載の切割り片の内壁の凸部に係合する軸体凹部の底部を底径として、軸体凹部と凹部との間に形成された凸部の概略半分にした山部を外径とした、小径の凸部を、前傾倒端から後傾倒端間に設け、傾動範囲を設定出来る機構にした、請求項１に記載の椅子のリクライニング装置のヒンジ機構を提供する。
第三の発明は第二の発明に記載の前傾倒端に当たる位置の軸体に突部を、軸体外径より１〜２割マイナス径にして設け、続けて前傾倒方向に請求項２に記載の軸体凹部の底部の底径を軸外径として、椅子の背面を平坦に折畳む折畳み端迄設け、続けて軸体外径にして、椅子の背面を平坦に折畳む角度を設定出来る機構にした、請求項２に記載の椅子のリクライニング装置のヒンジ機構を提供する。
【０００８】
第一の発明によれば、一方の部材の筒体には筒体側壁と繋がった弾性性状を有する切割り片を設けと成っているが、切割り片の形状は限定されない、切割り片の内壁の凸部が軸外周部の凹部から隣の凹部へ移動する弾性力を持たせられる形状で有ればよく、例えば切割り溝形状が「コ」の字でも「Ｌ」字でも「舌状」等でも良い
【０００９】
第一の発明によれば、弾性性状を有する切割り片と成っているが、前後傾倒動角度を変位保持する弾性力を有した物であれば、例えば切割り片が弾性体でも、筒体に弾性体の切割り片をインサート成型したものでも（筒体が弾性体も含む）、又切割り片に弾性部を設けた物でもよく、弾性性状を有する切割り片には限定しない。
【００１０】
第一の発明によれば切割り片の内壁の凸部を設けと成っているが、その形状は点状の凸でも軸線方向に設けた凸でも良く、前記凸に係合する軸外周部に設けた凹部の形状は、多段階前後傾動機構が維持出来る形状で、好ましくは角度変位がスムースに出来、ロック状態で内壁の凸部と、前記凸部に係合する軸外周部に設けた凹部との係合状態で「がた」がない形状である.。
【００１１】
第一の発明によれば前記一方の部材の筒体にロック機構の外筒を設けてと成っているが、前後傾動をロックする物は、棒体でも外筒でも可能で又外筒形状もCでもOでも前記切割り片の凸部の筒芯方向の外向きの動きを阻止する物であれば良い。
【００１２】
第二の発明は第一の発明に記載の切割り片の内壁の凸部の概略先半分部に係合する軸体凹部を設け、となっているが、前後傾動で力を掛けた時に後傾動では脚をフロアーにつけ、少し力を入れれば後傾動し、前傾動はロックをはずせば前傾端部に戻り（背もたれ部はフリーな状態ではスプリング力で、前傾端部に戻る様に付勢している）、切割り片の内壁の凸部に軸外周部に設けた凹部を係合させた、傾動一方向の傾動力より内壁の凸部の概略先半分部に係合する小径の凹に係合させた、傾動一方向の傾動力を概略半分程度にするための表現であって、傾動範囲を外れると作動し難いようにした物であれば良く、概略先半分という形状にはこだわらない。    
【００１３】
この発明は特許文献1の機構を、傾動作動時のみ外筒をアンロック位置に移動し、作動時以外は外筒をロック位置にスプリング力で付勢して保持する事で、傾動作動時のみアンロックし作動時以外はロック状態にした構造のヒンジ機構である
【発明の効果】
【００１４】
軸部材と筒体部材をプラスチック系材(PPS樹脂・PEEK樹脂・ＦＲＰ・炭素繊維・ガラス繊維を含む）で構成する事が出来、それぞれの部材が一体成型加工可能で、部品点数も少なくて加工及び組み立て作業工程を少なくする事ができる。
【００１５】
強度及び耐久性が要求されるヒンジの、軸部は精密鋳造（ダイカスト鋳造も含む）・精密鍛造等でも対応出来（凹凸のある外径部は樹脂、内部は金属でインサート加工でも可能）、又筒体部の切割り片のみを強い弾性力を持つ部材をインサート成型できる等、幅広いニーズに対応できる。
【００１６】
自動車のリクライニングシートのヒンジをプラスチック系材で構成し、このヒンジ機構にすれば、僅かではあるが車重量の軽量化に寄与することができ燃費向上に繋がる。
【実施例】
【００１７】
当発明に使用のヒンジの多くは直径１０ｍｍから３０ｍｍ位であり、又その他の部分に於いても、図面は拡大して表示して詳細部が判り易くし、又実線と実線が近接していて、図の電子化送信の際実線と実線の間が黒く成るケースが多々有るので実線と実線の間を少し広くして表現するか又は１本の線であらわし、更に誇張表示した部分もあり、又図面間の寸法は縮尺及び拡大されている。
【００１８】
筒体（４）を有する一方の部材（２）と、軸体（６）を有する他方の部材（１）を、前後傾動可能に連結された、椅子のリクライニング装置のヒンジ機構であって、前記一方の部材（２）の筒体（４）には筒体側壁と一部分が繋がった弾性性状を有する切割り片（Ｅ）を設け、更に切割り片の内壁に凸部（ＺＡ）を筒芯方向に設けて、内壁の凸部に係合する形状の凹部（Ａ）を、他方の部材（１）が有する軸体（６）の軸外周部に複数個設け、前記筒体内壁の凸部と軸外周部の凹部を係合し、更に前記一方の部材の筒体に前後傾動をロック出来る機構（前後傾動操作時のみアンロック)の外筒を切割り片の内壁の凸部の外側方向への動きを阻止する様に設け、前後傾動可能で、更に外筒の軸線方向のスライドにより前後傾動をロック・アンロック出来る機構にした、椅子のリクライニング装置のヒンジ機構。
【００１９】
前記一方の部材（２）の筒体には筒体側壁と繋がった弾性性状を有する切割り片（Ｅ）を設け、前記切割り片の筒体内壁に凸部（ＺＡ）と筒体外壁に弾性部を軸線方向に設けるか、あるいは前記筒体を弾性材で構成して設け（図１・図2）、前記内壁の凸部に係合する形状の凹部（Ａ）を軸外周部の軸線方向に複数個設け（図３）、前記内壁の凸と軸外周部の凹部を係合した機構で、前記筒体（４）と軸体（６）との結合部に外筒（５）を嵌合させて、弾性片（弾性部）の大径方向への動きを阻止し、変位した角度をロックするロック機構を設けたヒンジ機構。
【００２０】
図１ａは椅子のリクライニング装置のヒンジ部（Ｈ）を示した図で、図１bは筒体（４）を有する一方の部材（２）と、軸体（６）を有する他方の部材（１）と作動時以外はロック状態に付勢するスプリング（９）とスプリングを保持するバー（８）を有するロック機構のC型の外筒（５）のオンリー部品図で、筒体（４）には前記スプリングを保持するバー（８）を受け止める、受け止め部（７）を固着している。
【００２１】
図２ａは図１のオンリー部品を組み付けた斜視図で、C型の外筒（５）をスプリング（９）で付勢していて、ロック機構のC型の外筒（５）が筒体の切割り片（E）を覆っているので、切割り片の筒体内壁に凸部（ＺＡ）が外方向に動けない状態―ロック状態で、図２bはスプリングを保持するバー（８）を矢印方向に動かす(スライド)力が掛かり、C型の外筒（５）が筒体の切割り片（E）を外方向に動ける様に右方向に逃がした状態で、この状態の時のみ前後傾動可能で椅子の背もたれ部（図１ａ・１−ｂ）を所望する角度に変更でき、スプリングを保持するバー（８）に矢印方向の力が掛からなく成ると、元の図２ａに戻りロック状態となる。
【００２２】
図３の図３cは、図２bのＢ−Ｂ断面図で、軸体（６）を有する他方の部材（１）に前後傾動力が掛かると前後傾動出来る状態で、他方の部材（１）に前後傾動力が掛かると一方の部材（２）の筒体（４）の筒体側壁と繋がった弾性性状を有する切割り片（Ｅ）の内壁に凸部（ＺＡ）が軸体（６）の凹部（Ａ）を乗り越し（図３ｃ）隣の凹部（Ａ）に納まり次に前後傾動力が掛かるまでその角度を保持でき、更に前後傾動力が掛かり続けると順次前後傾倒角度を広げ（前傾動力はスプリングの付勢力もしくは手動力）、スプリングを保持するバー（８）に矢印方向の力が掛からなく成ると、ロック機構のC型の外筒（５）が筒体のきり割り片（E）を覆いロック状態となる。（図２ａのＡ−Ａ断面図・図３a）
【００２３】
図４ａは図２bのＣ−Ｃ断面図で、外筒（５）が筒体（４）の外側に保持されていて前後傾動が可能な状態で外筒（５）が図４ａの矢印方向に動ごくと、仮想線のようにＺＡを覆い、ＺＡが上方向に動けなくなりロック状態となる。
図４ｂは図４ａの外筒（５）に５ｂ部｛外筒（５）と切割り片(Ｅ)の内壁に凸部(ＺＡ)に面取り部｝を設けて外筒（５）が切割り片(Ｅ)の内壁の凸部（ＺＡ）に納まり易くしたものである。
【００２４】
図５は筒体（４）を有する一方の部材（２）に固着された椅子の座部（２−ｂ）と軸体（６）を有する他方の部材（１）に固着された椅子の背もたれ部（１−ｂ）との前後傾動状態図で（Ｈはヒンジ）、矢印イの範囲が設定使用範囲で（更に広角にも出来る）、矢印ロは設定使用範囲の前傾倒端から、更に前傾倒させ椅子の背面を平坦に折畳む角度を表し、実線の図は椅子の背面を平坦に折畳んだ図。
【００２５】
図６ａは第二の発明の発明に記載の小径の凸部（６ｂ）を設け、椅子のリクライニング装置使用時の前傾倒端から後傾倒端間以外を軸体外径として、傾動範囲を設定する構造を表した、図２ｂのＢ−Ｂ断面図で、その作動要領は軸体（６）を有する他方の部材（１）に後傾動力を掛けると後傾動出来る状態で、他方の部材（１）に後傾動力が掛かると、一方の部材（２）の筒体（４）の筒体側壁と繋がった弾性性状を有する切割り片（Ｅ）の内壁に凸部（ＺＡ）が軸体（６）の小径の凹（Ａａ）と小径の凹（Ａａ）間に形成された小径の凸部（６ｂ）を乗り越し隣の小径の凹（Ａａ）に納まり、次に後傾動力が掛かるまでその角度を保持し、続いて後傾動力が掛かると順次傾倒角度が広がり、所望の角度に成った時図２ａの状態にロックさせて、更に図２bの状態にアンロックさせて、後傾端迄傾倒角度を変更できる機構で、元に戻す前傾倒の動作は、後傾倒の動作を前傾倒の動作に変えてするか、図２bのアンロック状態を保持すれば、前傾動はロックをはずし前傾端部に戻る（背もたれ部はスプリング力で、フリーな状態では前傾端部に戻る様に付勢している）、短絡して言い換えれば、設定した椅子のリクライニング装置使用時の前傾倒端から後傾倒端間の設定傾動範囲で掛ける力の、少なくとも１．５倍の力を掛けないと設定傾動範囲から外せない構造にして、設定傾倒力で設定傾動範囲内を操作出来るヒンジの構造。
【００２６】
図６bは第二の発明に記載の前傾倒端に当たる位置の軸体の6より1~2割マイナス径にした軸体の突部（６a）を設け、前傾倒方向に続けて、前記第二の発明に記載の小径の凹の底径（Ａc）にして設け、続けて前傾倒折畳み端に折畳み端の凹部（Ａb）を設け、続けて軸体外径にして、椅子の背面を平坦に折畳む角度を設定出来る機構にして、更にマイナス径の軸体の突部（６a）を超える力の、少なくとも１．５倍の力を掛けないと椅子の背面を平坦に折畳む角度（折畳み端の凹部・Ａb）を超える事が出来ない機構にした、第三の発明に記載の椅子のリクライニング装置のヒンジ機構で、その作動は前記内壁に凸部（ＺＡ）が軸体の6より1~2割マイナス径の軸体の突部（６a）を、前傾倒方向に越え(図６b・図６c)続いて移動してＡc部を通過し椅子の背面を平坦に折畳む角度を設定する折畳み端の凹部Ａbに到達して嵌合し椅子の背面を平坦に折畳めるヒンジの構造。
【００２７】
図７は従来から使用されている椅子のリクライニング装置の側面図で、部品点数も多く
工作機械を駆使して部品を製作し、組み立てにもかなりの工数を必要としている。
（この図はあくまでも例図であって特定している物ではない。）
【図面の簡単な説明】
【００２８】
【図１】椅子のリクライニング装置の側面とヒンジのオンリー部品斜視図
【図２】図１の組み立て図と作動時の状態図
【図３】図２のＡ−Ａ断面図・Ｂ−Ｂ断面図
【図４】図２のＣ−Ｃ断面図
【図５】椅子の背面を平坦に折畳んだ図
【図６】第二の発明・第三の発明の  図２のＡ−Ａ断面図・Ｂ−Ｂ断面図
【図７】従来から使用されている椅子のリクライニング装置の側面図の１例
【符号の説明】
【００２９】
・  軸体（６）を有する他方の部材
・  筒体（４）を有する一方の部材
１−ｂ．椅子の背もたれ部
２−ｂ．椅子の座部
３−ｂ．椅子のリクライニング装置の操作部
４．  筒体
５．  ロック機構の外筒
５ｂ．ロック機構の外筒とＺＡに設けた面取り構造部
６．  軸体
６ａ．前傾倒端に当たる位置の軸体の6より1~2割マイナス径の軸体の突部
６ｂ．内壁の凸部（ＺＡ）の概略先半分部に係合する小径の凸部
７．スプリングを保持するバーを受け止める、受け止め部
８．スプリングを保持するバー
９．ロック状態に付勢するスプリング
Ａ．内壁の凸部に係合する形状の軸体の凹部
Ａａ．内壁の凸部（ＺＡ）の概略先半分部に係合する小径の凹部
Ａｂ．前傾倒折畳み端の凹部
Ａｃ．内壁の凸部の概略先半分部に係合する小径の凹の底径部
Ｂ．切割り片（Ｅ）に設けた弾性部
Ｃ．切割り片（Ｅ）の軸線方向の割れ目
Ｅ．切割り片
Ｈ．ヒンジ部
ＺＡ．切割り片の内壁の凸部
イ．椅子の背もたれ部の設定使用範囲
ロ．椅子の背面を平坦に折畳む角度
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
筒体を有する一方の部材と、軸体を有する他方の部材を、多段階に節度を有して前後傾動可能に連結された、椅子のリクライニング装置のヒンジ機構であって、前記一方の部材の筒体には筒体側壁と繋がった弾性性状を有する切割り片を設け、更に切割り片の内壁に凸部を筒芯方向に設けて、内壁の凸部に係合する形状の凹部を、他方の部材が有する軸体の軸外周部に複数個設け、前記切割り片の内壁の凸部と軸外周部の凹部を係合し、更に前記一方の部材の筒体にロック機構の外筒を切割り片の内壁の凸部の外側方向への動きを阻止する様に設けて、外筒の軸線方向のスライドにより前後傾動をロック・アンロック出来る、椅子のリクライニング装置のヒンジ機構。
【手続補正２】
【補正対象書類名】明細書
【補正対象項目名】０００７
【補正方法】変更
【補正の内容】
【０００７】
第一の発明は、筒体を有する一方の部材と、軸体を有する他方の部材を、多段階に節度を有して前後傾動可能に連結された、椅子のリクライニング装置のヒンジ機構であって、前記一方の部材の筒体には筒体側壁と繋がった弾性性状を有する切割り片を設け、更に切割り片の内壁に凸部を筒芯方向に設けて、内壁の凸部に係合する形状の凹部を、他方の部材が有する軸体の軸外周部に複数個設け、前記切割り片の内壁の凸部と軸外周部の凹部を係合し、更に前記一方の部材の筒体にロック機構の外筒を切割り片の内壁の凸部の外側方向への動きを阻止する様に設けて、外筒の軸線方向のスライドにより前後傾動をロック・アンロック出来る、椅子のリクライニング装置のヒンジ機構を提供する。
【手続補正３】
【補正対象書類名】明細書
【補正対象項目名】００１２
【補正方法】削除
【補正の内容】
【手続補正書】
【提出日】平成21年6月5日(2009.6.5)
【手続補正１】
【補正対象書類名】明細書
【補正対象項目名】００２６
【補正方法】変更
【補正の内容】
【００２６】
図６bは第二の発明に記載の前傾倒端に当たる位置の軸体の6よりマイナス径にした軸体の突部（６a）を設け、前傾倒方向に続けて、前記第二の発明に記載の小径の凹の底径（Ａc）にして設け、続けて前傾倒折畳み端に折畳み端の凹部（Ａb）を設け、続けて軸体外径にして、椅子の背面を平坦に折畳む角度を設定出来る機構にして、更にマイナス径の軸体の突部（６a）を超える力の、少なくとも１．５倍の力を掛けないと椅子の背面を平坦に折畳む角度（折畳み端の凹部・Ａb）を超える事が出来ない機構にした、第三の発明に記載の椅子のリクライニング装置のヒンジ機構で、その作動は前記内壁に凸部（ＺＡ）が軸体の6よりマイナス径の軸体の突部（６a）を、前傾倒方向に越え(図６b・図６c)続いて移動してＡc部を通過し椅子の背面を平坦に折畳む角度を設定する折畳み端の凹部Ａbに到達して嵌合し椅子の背面を平坦に折畳めるヒンジの構造。
【手続補正２】
【補正対象書類名】明細書
【補正対象項目名】００２９
【補正方法】変更
【補正の内容】
【００２９】
１．  軸体（６）を有する他方の部材
２．  筒体（４）を有する一方の部材
１−ｂ．椅子の背もたれ部
２−ｂ．椅子の座部
３−ｂ．椅子のリクライニング装置の操作部
４．  筒体
５．  ロック機構の外筒
５ｂ．ロック機構の外筒とＺＡに設けた面取り構造部
６．  軸体
６ａ．前傾倒端に当たる位置の軸体の6よりマイナス径の軸体の突部
６ｂ．内壁の凸部（ＺＡ）の概略先半分部に係合する小径の凸部
７．スプリングを保持するバーを受け止める、受け止め部
８．スプリングを保持するバー
９．ロック状態に付勢するスプリング
Ａ．内壁の凸部に係合する形状の軸体の凹部
Ａａ．内壁の凸部（ＺＡ）の概略先半分部に係合する小径の凹部
Ａｂ．前傾倒折畳み端の凹部
Ａｃ．内壁の凸部の概略先半分部に係合する小径の凹の底径部
Ｂ．切割り片（Ｅ）に設けた弾性部
Ｃ．切割り片（Ｅ）の軸線方向の割れ目
Ｅ．切割り片
Ｈ．ヒンジ部
ＺＡ．切割り片の内壁の凸部
イ．椅子の背もたれ部の設定使用範囲
ロ．椅子の背面を平坦に折畳む角度